(57)【特許請求の範囲】
【請求項１】
ユニット体を囲む環状に構成された枠体の外径外側形状を収納ボックスの上側箱体と下側箱体の間に挟着する形状に形成し、内嵌するユニット体の上流側端部と下流側端部にそれぞれ着合する着合構造を備えた嵌合着合部を枠体に設けたことを特徴とするユニットフレーム
【請求項２】
嵌合着合部の上部側に収納ボックスの上側箱体下端嵌合部と接合する接合片、下部側に収納ボックス下側箱体の底板とユニット体との間のスペースを保つスペーサー突起を形成するようにした請求項１記載のユニットフレーム
【請求項３】
収納ボックスの上側箱体と下側箱体の間に挟着する外径外側形状を有する枠体の内側に、上流側端部にバルブユニット、下流側端部に逆止弁ユニットを連結した流量計測メーターの両端を、枠体に設けた着合部に流量計測メーターの両側端を着合させて嵌合したことを特徴とする流量計測メーターユニット
【発明の詳細な説明】
【０００１】
【産業上の利用分野】
本発明は、バルブユニット、流量計測メーター、逆止弁ユニットとからなるメーターユニット等を枠体によって一体構造の状態で持ち運び可能に着合し、市販のメーターボックス内に嵌入して端部着合を行うだけでメーターユニット等を設定できるユニットフレームと、これを用いた流量計測メーターユニットに関するものである。
【０００２】
【発明が解決しようとする課題】
水道配管の途中には必然的に流量計測メーターや分水栓等の機構が設けられることになるが、これら配管の途中に設定される装置や機構はバルブ機構等の付随装置や機構が付設されることが多い。
【０００３】
流量計測メーターについて見ると、上流側にバルブユニット、下流側に逆止弁ユニットが付設されなければ、その本来の流量計測機能を発揮することができないものである。
【０００４】
従来、このようにユニットを構成する付随機構は、各別の部材として現場に搬入され、現場で組み付ける作業が行われてきたが、作業環境の悪い現場での作業は時間が掛かるうえ、部品の紛失や損傷の問題もあって一体構造にユニット化することが行われるようになってきている。
【０００５】
このような一体構造ユニット化の傾向から、出願人は流量計測メーターについてメーターボックスの下側箱体にバルブユニットと逆止弁ユニットの端部を支持する支持部を設けたメータ支持箱（特願平10ー317758）を提案しているが、支持箱のみによって、バルブユニット、逆止弁ユニットをメーターユニットとして一体構造に組み付ける場合、メーターからの押圧力や内部水流の水圧に耐える堅牢性が必要となり、支持箱（メーターボックス）の重量が嵩むことになるほか、特別な支持箱を用いなければならない問題があった。
【０００６】
また、一体構造ユニット化のために、Ｕの字型に屈曲させた支持杆の両側端にバルブ機構、逆止弁機構を内蔵させたメーター端部の着合機構を設け、両着合機構の間に流量計測メーターを嵌装することも行なわれたが、ユニットを一体的に支持する支持枠として機能する支持杆が直線的なものであるため、構造的に不安定であると共に水圧等に耐える堅牢性についても問題を残していた。
【０００７】
更に、一体構造にユニット化した流量計測メーター等を、支持箱（メーター等のボックス）内に格納する関係においても、直線的な支持杆では単純に嵌め込みを行なうことができず、がたつきを無くしたり、安定した格納を行なうための面倒な作業を必要とする問題もある。
【０００８】
【課題を解決するための手段】
本発明は上記した課題に対応しようとするものであり、ユニットを一体的に支持する支持枠体をユニット体を囲む環状に構成することにより、ユニット体からの引張力、押圧力、変形に対して構造的に対応できる支持力を与えると共に、枠体の外径外側部の形状を収納ボックスの内側に嵌入若しくは収納ボックスの上側箱体と下側箱体の間に挟着する形状に形成して市販のメーターボックスにも単純に嵌め込みを行なうことができるようにした。
【０００９】
また、内嵌するユニット体の上流側端部と下流側端部にそれぞれ着合する着合構造を備えた嵌合着合部を枠体に設けて、構成部材をユニット体として一体構造に纏めて機能的に連結できるユニットフレームに構成したものである。
【００１０】
更に、このユニットフレームを用いて、メーターボックスの内側に嵌入する外側形状を有する枠体の内側に、上流側端部にバルブユニット、下流側端部に逆止弁ユニットを連結した流量計測メーターの両端を、枠体に設けた着合部に流量計測メーターの両側端を着合させて嵌合して流量計測メーターユニットとして、構成するようにした。
【００１１】
以上の構成により、フレームに構造的な堅牢性を確保できると共に、フレームの骨組みを肉抜き構造として軽量化し、収納ボックスへの格納も極めて容易に行なえるものである。
【００１２】
【実施例】
以下、本発明の実施例を図面を参照して説明する。１はユニットフレーム本体で、上流側端部にバルブユニットａ、下流側端部に逆止弁ユニットｂを連結した流量計測メーターユニットＡを囲んで環状に構成され、上流側端部と下流側端部にバルブユニットａの端部、逆止弁ユニットｂの端部にそれぞれ着合する着合構造を備えた嵌合着合部11、12が形成されている。
【００１３】
嵌合着合部11、12は、外径を六角形に形成されたアダプターユニット21、22を介してバルブユニットａの端部、逆止弁ユニットｂの端部にそれぞれ嵌合する六角形の嵌入孔13、14が穿設され、嵌入孔の下部は収納ボックス下側箱体32の底板とメーターユニットＡとの間のスペースを保つスペーサー突起15、上部には収納ボックス３の上側箱体31の下端嵌合部と接合する接合片16が形成されている。
【００１４】
アダプターユニット21、22の外径及びこれに対応する嵌入孔の形状を、六角形もしくは少なくとも角形に形成することにより、嵌着支持されるユニット体の側方への回動が防止される。
【００１５】
ユニットフレーム本体１の素材は、嵌着支持されるユニット体の種類やユニット体を格納する収納ボックス３の設定環境によって合成樹脂或いは鋳物によって成形され、枠体の外径外側部の形状を収納ボックスの上側箱体と下側箱体の間に挟着する形状に形成して、適宜なリブ４によって補強し肉抜部41を形成して軽量化を図るようにする。
【００１６】
以上のように構成されたユニットフレーム１の嵌合着合部11には、嵌入孔13にアダプターユニット21が嵌着され、これにバルブユニットａ（ボール止水栓ユニット）が着合され、嵌合着合部12には、スライダーケース23とスライダーハンドル24から成るアダプターユニット22が嵌入孔14に嵌着されている。
【００１７】
スライダーケース23の内部には、端部に流量計測メーター２の端部を挟着する着合部25を備え、逆止弁ユニットｂを嵌装するスライダー26が嵌装され、外径に刻設された雄螺子27がスライダーケース23の内径に刻設された雌螺子と螺合して、スライダーケース23が治具５によって回動されると、スライダーケース23内を進退するようになっている。
【００１８】
そこで、アダプターユニット21と22の間に流量計測メーター２を挟着し、スライダーケース23を回動してスライダー26を螺進させて流量計測メーター２を緊締することにより、ユニットフレーム１内に枠付けられた流量計測メーターユニットＡが構成される。
【００１９】
メーターユニットＡは、上面に開閉蓋33を備える上側箱体31と下側箱体32から成る収納ボックス３に収納され、ユニット商品として構成されるが、ユニットフレーム１の外径は収納ボックス３の接合部の形状に対応して構成され上側箱体31と下側箱体32の接合部に、スペーサー突起、接合片を露出させて上側箱体31と下側箱体32の間に挟着嵌合するように形成され、その下部にはスペーサー突起15、上部側には収納ボックス３の上側箱体31の下端嵌合部と接合する接合片16が形成されているので、メーターユニットＡは収納ボックス３内にきっちりと挟着収納され、がたつきを生ずることがなく、収納作業も容易に行なうことができる。
【００２０】
【図面の簡単な説明】
【図１】本発明の実施例によるユニットフレームの全体斜視図
【図２】同じく、ユニットフレームの底面図
【図３】同じく、ユニットフレームにユニット体を着合させ状態を示す全体平面図
【図４】同じく、収納ボックス内にメーターユニットを収納した状態を、要部を断面として示した全体正面図
【図５】同じく、収納ボックス内にメーターユニットを収納した状態を示した全体側面図
【符号の説明】
１      ユニットフレーム
11、12  ユニットフレームの嵌合着合部
13、14  着合部嵌入孔
15      スペーサー突起
16      上側箱体下端嵌合部との接合片
２      流量計測メーター
21      アダプターユニット
22      スライダー機構アダプターユニット
23      スライダーケース
24      スライダーハンドル
25      スライダーのメーター着合部
26      スライダー
27      スライダー外径の雄螺子
３      収納ボックス
31      収納ボックス上側箱体
32      収納ボックス下側箱体
33      収納ボックス上面に開閉蓋
４      補強リブ
41      肉抜部
５      スライダーケース回動治具
Ａ      流量計測メーターユニット
ａ      バルブユニット
ｂ      逆止弁ユニット
【図１】
0003542947.tif 000002
【図２】
0003542947.tif 000003
【図３】
0003542947.tif 000004
【図４】
0003542947.tif 000005
【図５】
0003542947.tif 000006